(57)【要約】【目的】配線の煩雑さを解消するとともに干渉信号の影響を効果的に抑えつつ通信を行うことが可能な無線通信装置及び無線通信システムを提供する。【構成】自動取引装置１０は、筐体上部１０ａに無線機ＡＰ１２を備え、筐体下部１０ｂに金庫１５に格納された無線機ＳＴ１３と紙幣カセット１４とを備える。金庫上部には開口部が設けられ、ＡＰ１２とＳＴ１３は、当該開口部を介して無線信号の送受信を行う。無線機ＡＰ１２のスイッチ制御判定回路２５は、アンテナ２１及び分配器２２を介して供給された受信信号の電力レベル又は周波数に応じて、受信信号が所望信号か干渉信号かを判定する。所望信号であると判定した場合、ＯＮ制御信号をＳＷ２３に供給し、分配器２２と復調部２４との間を接続させる。干渉信号であると判定した場合、ＯＦＦ制御信号をＳＷ２３に供給し、分配器２２と復調部２４との間を非接続とする。【選択図】図４
2016105562.tif 000002
【特許請求の範囲】
【請求項１】
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の信号強度に基づいて前記接続切替部をオン状態又はオフ状態に制御する接続制御部と、
を備えることを特徴とする無線通信装置。
【請求項２】
前記接続制御部は、前記受信信号の信号強度が所定の閾値以上である場合には前記接続切替部をオン状態に設定し、前記受信信号の信号強度が所定の閾値未満である場合には前記接続切替部をオフ状態に設定することを特徴とする請求項１に記載の無線通信装置。
【請求項３】
前記接続制御部は、前記受信信号の信号強度が所定の変動パターンで時間変動するか否かを判定する判定部を備え、
前記受信信号の信号強度が前記所定の変動パターンで時間変動している場合には前記接続切替部をオン状態に設定し、前記受信信号の信号強度が前記所定の変動パターンで時間変動していない場合には前記接続切替部をオフ状態に設定することを特徴とする請求項１に記載の無線通信装置。
【請求項４】
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の周波数に基づいて前記接続切替部をオン状態又はオフ状態に制御する接続制御部と、
を備えることを特徴とする無線通信装置。
【請求項５】
前記接続制御部は、前記受信信号の中心周波数が所定の変動パターンで時間変動するか否かを判定する判定部を備え、
前記受信信号の中心周波数が前記所定の変動パターンで時間変動している場合には前記接続切替部をオン状態に設定し、前記受信信号の中心周波数が前記所定の変動パターンで時間変動していない場合には前記接続切替部をオフ状態に設定することを特徴とする請求項４に記載の無線通信装置。
【請求項６】
前記接続制御部は、前記受信信号の周波数の帯域幅が所定の変動パターンで時間変動するか否かを判定する判定部を備え、
前記受信信号の周波数の帯域幅が前記所定の変動パターンで時間変動している場合には前記接続切替部をオン状態に設定し、前記受信信号の周波数の帯域幅が前記所定の変動パターンで時間変動していない場合には前記接続切替部をオフ状態に設定することを特徴とする請求項４に記載の無線通信装置。
【請求項７】
親無線機と複数の子無線機との間で無線通信を行う無線通信システムであって、
前記複数の子無線機は、夫々異なる識別パターンを与えられ、
前記複数の子無線機の各々は、
自己に与えられた識別パターンに応じて信号強度が時間変動するダミーパケットを生成するダミーパケット生成部と、
送信パケットに前記ダミーパケットを付加して送信する送信部と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の信号強度が前記識別パターンのうちの１に応じて時間変動している場合には前記接続切替部をオン状態に設定し、前記受信信号の信号強度が前記識別パターンのうちの１に応じて時間変動してない場合には前記接続切替部をオフ状態に設定する接続制御部と、
を備えることを特徴とする無線通信システム。
【請求項８】
親無線機と複数の子無線機との間で無線通信を行う無線通信システムであって、
前記複数の子無線機は、夫々異なる識別パターンを与えられ、
前記複数の子無線機の各々は、
自己に与えられた識別パターンに応じて中心周波数が時間変動するダミーパケットを生成するダミーパケット生成部と、
送信パケットに前記ダミーパケットを付加して送信する送信部と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の中心周波数が前記識別パターンのうちの１に応じて時間変動している場合には前記接続切替部をオン状態に設定し、前記受信信号の中心周波数が前記識別パターンのうちの１に応じて時間変動してない場合には前記接続切替部をオフ状態に設定する接続制御部と、
を備えることを特徴とする無線通信システム。
【請求項９】
親無線機と複数の子無線機との間で無線通信を行う無線通信システムであって、
前記複数の子無線機は、夫々異なる識別パターンを与えられ、
前記複数の子無線機の各々は、
自己に与えられた識別パターンに応じて周波数の帯域幅が時間変動するダミーパケットを生成するダミーパケット生成部と、
送信パケットに前記ダミーパケットを付加して送信する送信部と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の周波数の帯域幅が前記識別パターンのうちの１に応じて時間変動している場合には前記接続切替部をオン状態に設定し、前記受信信号の周波数の帯域幅が前記識別パターンのうちの１に応じて時間変動してない場合には前記接続切替部をオフ状態に設定する接続制御部と、
を備えることを特徴とする無線通信システム。
【請求項１０】
紙幣を収納する紙幣カセットと、
前記紙幣カセットの状態を示すカセット情報を送出する子無線機と、
前記子無線機との間で信号の送受信を行う親無線機と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の信号強度が所定の閾値以上である場合には前記接続切替部をオン状態に設定し、前記受信信号の信号強度が所定の閾値未満である場合には前記接続切替部をオフ状態に設定する接続制御部と、
を備えることを特徴とする自動取引装置。
【請求項１１】
紙幣を収納する紙幣カセットと、
前記紙幣カセットの状態を示すカセット情報を送出する子無線機と、
前記子無線機との間で信号の送受信を行う親無線機と、
を備え、
前記子無線機は、
所定の変動パターンに応じて信号強度が時間変動するダミーパケットを生成するダミーパケット生成部と、
前記カセット情報に前記ダミーパケットを付加して前記親無線機に送信する送信部と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の信号強度が前記識別パターンのうちの１に応じて時間変動している場合には前記接続切替部をオン状態に設定し、前記受信信号の信号強度が前記識別パターンのうちの１に応じて時間変動してない場合には前記接続切替部をオフ状態に設定する接続制御部と、
を備えることを特徴とする自動取引装置。
【請求項１２】
紙幣を収納する紙幣カセットと、
前記紙幣カセットの状態を示すカセット情報を送出する子無線機と、
前記子無線機との間で信号の送受信を行う親無線機と、
を備え、
前記子無線機は、
所定の変動パターンに応じて中心周波数が時間変動するダミーパケットを生成するダミーパケット生成部と、
前記カセット情報に前記ダミーパケットを付加して前記親無線機に送信する送信部と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の中心周波数が前記識別パターンのうちの１に応じて時間変動している場合には前記接続切替部をオン状態に設定し、前記受信信号の中心周波数が前記識別パターンのうちの１に応じて時間変動してない場合には前記接続切替部をオフ状態に設定する接続制御部と、
を備えることを特徴とする自動取引装置。
【請求項１３】
紙幣を収納する紙幣カセットと、
前記紙幣カセットの状態を示すカセット情報を送出する子無線機と、
前記子無線機との間で信号の送受信を行う親無線機と、
を備え、
前記子無線機は、
所定の変動パターンに応じて周波数の帯域幅が時間変動するダミーパケットを生成するダミーパケット生成部と、
前記カセット情報に前記ダミーパケットを付加して前記親無線機に送信する送信部と、
を備え、
前記親無線機は、
無線信号を受信する受信部と、
前記受信部が受信した受信信号に対して復調処理を施す復調部と、
オン状態時に前記受信部と前記復調部とを接続する一方、オフ状態時には前記受信部と前記復調部との接続を遮断して前記受信信号の前記復調部への供給を停止する接続切替部と、
前記受信信号の周波数の帯域幅が前記識別パターンのうちの１に応じて時間変動している場合には前記接続切替部をオン状態に設定し、前記受信信号の周波数の帯域幅が前記識別パターンのうちの１に応じて時間変動してない場合には前記接続切替部をオフ状態に設定する接続制御部と、
を備えることを特徴とする自動取引装置。
【請求項１４】
前記子無線機と前記紙幣カセットとを格納する金庫筐体を備え、
前記金庫筐体は、紙幣を前記金庫筐体の外部から前記紙幣カセットに収納するための開口部を備え、
前記親無線機と前記子無線機とは、前記開口部を介して無線通信を行うことを特徴とする請求項１０乃至１３のいずれか１に記載の自動取引装置。
【発明の詳細な説明】
【技術分野】
【０００１】
本発明は、無線通信装置、無線通信システム及び自動取引装置に関する。
【背景技術】
【０００２】
金融機関等で用いられる自動取引装置（ＡＴＭ）は、筐体下部に金庫が設けられ、金庫内に、紙幣を収納する紙幣カセットが格納された構造を有している。また、筐体上部には、機器全体の動作の制御を行う中央制御装置と、筐体下部との間で通信を行う通信部とが設けられている。また、筐体下部にも紙幣カセットに接続された通信部が設けられている。筐体上部の通信部と筐体下部の通信部とは、互いに信号の送受信を行う。
【０００３】
このような筐体上部の通信部と筐体下部の通信部とが夫々複数設けられている場合、これらを互いに接続する配線は煩雑となる。
【０００４】
更に、自動取引装置においては、顧客の携帯端末等から発信される無線信号や、店舗内に隣接して設置された他の自動取引装置で送受信される信号等が干渉信号として混入する虞がある。そこで、干渉信号の影響を抑えるため、干渉信号を除去するためのＦＩＲフィルタ（Finite Impulse Response Filter）を有する受信装置や受信方法が提案されている（例えば、特許文献１、特許文献２）。かかる受信装置では、フィルタを通過した信号の電力値等に基づいてフィルタ係数等のフィルタ制御を行って干渉信号を除去する。
【先行技術文献】
【特許文献】
【０００５】
【特許文献１】特開２００４−２９７１５０号公報
【特許文献２】特開２００８−１７２４６６号公報
【発明の概要】
【発明が解決しようとする課題】
【０００６】
しかし、特許文献１記載のＦＩＲフィルタを用いた場合、フィルタ制御が安定する前に到来した干渉信号を適切に除去することができないという問題があった。また、ＦＩＲフィルタを用いた場合、干渉信号が受信したい信号と同じ周波数の場合は、復調処理が行われてしまう。受信した干渉信号に対して復調処理が施されてしまうと、引き続き所望信号を受信した際に、この所望信号の先頭部に対する復調処理が正常に為されなくなるという問題が生じた。
【０００７】
さらに、特許文献２記載の方法は、干渉成分のレプリカを生成し、その成分を受信信号から除去する方法である。しかし、実際には、無線ＬＡＮなどの短いパケット信号から正確な干渉レプリカを生成するのは極めて難しい。そのうえ、生成したレプリカに誤差が生じると、むしろ干渉が増加することもある。
【０００８】
本発明は、上記問題点に鑑みてなされたものであり、配線の煩雑さを解消するとともに、干渉信号の影響を効果的に取り除くことが可能な無線通信装置、無線通信システムを実現することを目的とする。
【課題を解決するための手段】
【０００９】
本発明による無線通信装置は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の信号強度に基づいて前記接続切替部をオン状態又はオフ状態に制御する接続制御部と、を備えることを特徴とする。
【００１０】
また、本発明による無線通信装置は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の周波数に基づいて前記接続切替部をオン状態又はオフ状態に制御する接続制御部と、を備えることを特徴とする。
【００１１】
また、本発明による無線通信システムは、親無線機と複数の子無線機との間で無線通信を行う無線通信システムであって、前記複数の子無線機は、夫々異なる識別パターンを与えられ、前記複数の子無線機の各々は、自己に与えられた識別パターンに応じて信号強度が時間変動するダミーパケットを生成するダミーパケット生成部と、送信パケットに前記ダミーパケットを付加して送信する送信部と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の信号強度が前記識別パターンのうちの１に応じて時間変動している場合には前記接続切替部をオン状態に設定し、前記受信信号の信号強度が前記識別パターンのうちの１に応じて時間変動してない場合には前記接続切替部をオフ状態に設定する接続制御部と、を備えることを特徴とする。
【００１２】
また、本発明による無線通信システムは、親無線機と複数の子無線機との間で無線通信を行う無線通信システムであって、前記複数の子無線機は、夫々異なる識別パターンを与えられ、前記複数の子無線機の各々は、自己に与えられた識別パターンに応じて中心周波数が時間変動するダミーパケットを生成するダミーパケット生成部と、送信パケットに前記ダミーパケットを付加して送信する送信部と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の中心周波数が前記識別パターンのうちの１に応じて時間変動している場合には前記接続切替部をオン状態に設定し、前記受信信号の中心周波数が前記識別パターンのうちの１に応じて時間変動してない場合には前記接続切替部をオフ状態に設定する接続制御部と、を備えることを特徴とする。
【００１３】
また、本発明による無線通信システムは、親無線機と複数の子無線機との間で無線通信を行う無線通信システムであって、前記複数の子無線機は、夫々異なる識別パターンを与えられ、前記複数の子無線機の各々は、自己に与えられた識別パターンに応じて周波数の帯域幅が時間変動するダミーパケットを生成するダミーパケット生成部と、送信パケットに前記ダミーパケットを付加して送信する送信部と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の周波数の帯域幅が前記識別パターンのうちの１に応じて時間変動している場合には前記接続切替部をオン状態に設定し、前記受信信号の周波数の帯域幅が前記識別パターンのうちの１に応じて時間変動してない場合には前記接続切替部をオフ状態に設定する接続制御部と、を備えることを特徴とする。
【００１４】
また、本発明による自動取引装置は、紙幣を収納する紙幣カセットと、前記紙幣カセットの状態を示すカセット情報を送出する子無線機と、前記子無線機との間で信号の送受信を行う親無線機と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の信号強度が所定の閾値以上である場合には前記接続切替部をオン状態に設定し、前記受信信号の信号強度が所定の閾値未満である場合には前記接続切替部をオフ状態に設定する接続制御部と、を備えることを特徴とする。
【００１５】
また、本発明による自動取引装置は、紙幣を収納する紙幣カセットと、前記紙幣カセットの状態を示すカセット情報を送出する子無線機と、前記子無線機との間で信号の送受信を行う親無線機と、を備え、前記子無線機は、所定の変動パターンに応じて信号強度が時間変動するダミーパケットを生成するダミーパケット生成部と、前記カセット情報に前記ダミーパケットを付加して前記親無線機に送信する送信部と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の信号強度が前記識別パターンのうちの１に応じて時間変動している場合には前記接続切替部をオン状態に設定し、前記受信信号の信号強度が前記識別パターンのうちの１に応じて時間変動してない場合には前記接続切替部をオフ状態に設定する接続制御部と、を備えることを特徴とする。
【００１６】
また、本発明による自動取引装置は、紙幣を収納する紙幣カセットと、前記紙幣カセットの状態を示すカセット情報を送出する子無線機と、前記子無線機との間で信号の送受信を行う親無線機と、を備え、前記子無線機は、所定の変動パターンに応じて中心周波数が時間変動するダミーパケットを生成するダミーパケット生成部と、前記カセット情報に前記ダミーパケットを付加して前記親無線機に送信する送信部と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の中心周波数が前記識別パターンのうちの１に応じて時間変動している場合には前記接続切替部をオン状態に設定し、前記受信信号の中心周波数が前記識別パターンのうちの１に応じて時間変動してない場合には前記接続切替部をオフ状態に設定する接続制御部と、を備えることを特徴とする。
【００１７】
また、本発明による自動取引装置は、紙幣を収納する紙幣カセットと、前記紙幣カセットの状態を示すカセット情報を送出する子無線機と、前記子無線機との間で信号の送受信を行う親無線機と、を備え、前記子無線機は、所定の変動パターンに応じて周波数の帯域幅が時間変動するダミーパケットを生成するダミーパケット生成部と、前記カセット情報に前記ダミーパケットを付加して前記親無線機に送信する送信部と、を備え、前記親無線機は、無線信号を受信する受信部と、前記受信部が受信した受信信号に対して復調処理を施す復調部と、オン状態時に前記受信部と前記復調部とを接続する一方、オフ状態時には前記受信部と前記復調部との接続を遮断して前記受信信号の前記復調部への供給を停止する接続切替部と、前記受信信号の周波数の帯域幅が前記識別パターンのうちの１に応じて時間変動している場合には前記接続切替部をオン状態に設定し、前記受信信号の周波数の帯域幅が前記識別パターンのうちの１に応じて時間変動してない場合には前記接続切替部をオフ状態に設定する接続制御部と、を備えることを特徴とする。
【発明の効果】
【００１８】
本発明によれば、配線の煩雑さを解消するとともに、所望信号の先頭部から正常な復調処理を行うことが可能となる。
【図面の簡単な説明】
【００１９】
【図１】本発明の自動取引装置の構成を示す図である。
【図２】金庫における紙幣搬送構造を模式的に示す図である。
【図３】ＣＣＵ、ＡＰ及びＳＴの関係を示すブロック図である。
【図４】本発明におけるＡＰの構成を示す図である。
【図５】本発明の実施例１におけるスイッチ制御判定回路の構成を示すブロック図である。
【図６】本発明におけるＳＴの構成を示す図である。
【図７】ＳＴが生成するダミーパケットのパターンの例を示す図である。
【図８】ＡＰが検出する電力変動及び周波数変動の例を示す図である。
【図９】ＡＰが受信する所望信号及び干渉信号の電力レベルの関係を示す図である。
【図１０】本発明の実施例２のスイッチ制御判定回路の構成を示すブロック図である。
【図１１】ＡＰが受信する所望信号及び干渉信号の電力レベルの関係を示す図である。
【図１２】本発明におけるＡＰの構成の他の一例を示す図である。
【図１３】本発明におけるＡＰの構成の他の一例を示す図である。
【図１４】復調部に供給される所望信号及び干渉信号を示す図である。
【発明を実施するための形態】
【００２０】
以下、本発明の実施例を図面を参照しつつ詳細に説明する。
【実施例１】
【００２１】
図１は、自動取引装置１０の構成を模式的に示す図である。自動取引装置１０の筐体上部１０ａには、中央制御を行うＣＣＵ（Central Control Unit）１１と、無線機ＡＰ（Access Point）１２ａ、１２ｂ及び１２ｃが設けられている。以下の説明では、ＡＰ１２ａ〜１２ｃに共通の構成を指す場合には、これらを総称してＡＰ１２と表記して説明する。
【００２２】
筐体下部１０ｂには、紙幣を格納する複数の紙幣カセット１４ａ〜１４ｆと、これに接続された複数の無線機ＳＴ（Station Terminal）１３ａ〜１３ｆが設けられている。なお、ＳＴ１３ａ〜１３ｆは紙幣カセット１４ａ〜１４ｆに内蔵されていてもよい。ＳＴ１３ａ〜１３ｆ及び紙幣カセット１４ａ〜１４ｆは、金庫１５に格納されている。以下の説明では、ＳＴ１３ａ〜１３ｆに共通の構成を指す場合には、これらを総称してＳＴ１３と表記して説明する。同様に、１４ａ〜１４ｆに共通の構成を指す場合には、これらを総称して紙幣カセット１４と表記して説明する。
【００２３】
図２は、金庫１５における紙幣搬送構造を模式的に示す図である。搬送部１６は金庫１５の上方に位置し、紙幣カセット１４ａ〜１４ｆ間、あるいは入出金部１７と紙幣カセット１４ａ〜１４ｆとの間で紙幣の搬送を行う。金庫１５の上面には、搬送部１６と紙幣カセット１４ａ〜１４ｆとの間で紙幣を受け渡すための開口部ｈが複数設けられている。
【００２４】
図３（ａ）は、ＣＣＵ１１、ＡＰ１２ａ〜１２ｃ及びＳＴ１３ａ〜１３ｆの接続関係を示すブロック図である。ＣＣＵ１１とＡＰ１２ａ〜１２ｃは有線で接続されている。ＡＰ１２ａ〜１２ｃとＳＴ１３ａ〜１３ｆとは、金庫１５の開口部ｈを介した無線通信によって信号の送受信を行う。
【００２５】
ＡＰ１２ａは、ＳＴ１３ａ及び１３ｂの上部に設けられており、ＳＴ１３ａ及び１３ｂとの間で無線信号の送受信を行う。ＡＰ１２ｂは、ＳＴ１３ｃ及び１３ｄの上部に設けられており、ＳＴ１３ｃ及び１３ｄとの間で無線信号の送受信を行う。ＡＰ１２ｃは、ＳＴ１３ｅ及び１３ｆの上部に設けられており、ＳＴ１３ｅ及び１３ｆとの間で無線信号の送受信を行う。
【００２６】
すなわち、ＡＰ１２ａとＳＴ１３ａ及び１３ｂ、ＡＰ１２ｂとＳＴ１３ｃ及び１３ｄ、ＡＰ１２ｃとＳＴ１３ｅ及び１３ｆが、それぞれ対応して設けられている。したがって、ＡＰにとって、対応するＳＴからの信号は「所望信号」、それ以外の信号は「干渉信号」となる。なお、ＡＰ１２ａ〜１２ｃはそれぞれ搬送部１６に取り付けるようにしてもよい。
【００２７】
図３（ｂ）は、ＣＣＵ１１、ＡＰ１２、ＳＴ１３及び紙幣カセット１４の間の信号の流れを示す図である。ＣＣＵ１１は、例えば紙幣カセット１４の内部に設けられたモータ制御等に関する命令をＡＰ１２に供給する。ＡＰ１２はこの命令を無線信号としてＳＴ１３に送信する。ＳＴ１３は受信した命令に基づいて、紙幣カセット１４のモータの制御等を行う。
【００２８】
また、ＳＴ１３は、例えば顧客による操作部（図示せず）の操作等に応じて、紙幣カセット１４の内部に収納されている紙幣の枚数等、紙幣カセット１４の状態に関する情報等を無線信号としてＡＰ１２に送信する。ＡＰ１２は受信した情報をＣＣＵ１１に供給する。
【００２９】
図４は、ＡＰ１２の構成を示すブロック図である。ＡＰ１２は、アンテナ２１、分配器２２、接続切替部としてのＳＷ２３、復調部２４及びスイッチ制御判定回路２５を備える。
【００３０】
分配器２２は、送受信部としてのアンテナ２１が受信した受信信号を分配して、ＳＷ２３及びスイッチ制御判定回路２５に供給する。
【００３１】
ＳＷ２３は、半導体スイッチ等から構成され、スイッチ制御判定回路２５からのＯＮ制御信号に応じて、分配器２２と復調部２４とを所定時間だけ接続する接続切替部である。すなわち、ＯＮ制御信号に応じて、アンテナ２１と復調部２４との間が所定時間だけ接続される。ＳＷ２３は、所定時間経過後にスイッチ制御判定回路２５から供給されたＯＦＦ制御信号に応じて、分配器２２及び復調部２４の接続を遮断する。
【００３２】
また、ＳＷ２３は、スイッチ制御判定回路２５からのＯＦＦ制御信号に応じて、分配器２２と復調部２４との接続を遮断する。すなわち、ＯＦＦ制御信号が供給されると、アンテナ２１と復調部２４との間は非接続となる。
【００３３】
復調部２４は、アンテナ２１によって受信され分配器２２及びＳＷ２３を介して供給された受信信号に対して、復調処理を行って得られた情報をＣＣＵ１１に供給する。
【００３４】
図５は、スイッチ制御判定回路２５の構成を示すブロック図である。スイッチ制御判定回路２５は、信号入力部３１、電力変動検出回路３２、周波数変動検出回路３３、メモリ３４、信号判定回路３５及びスイッチ制御信号出力部３６を備える。
【００３５】
信号入力部３１は、分配器２２から供給された受信信号を受け、これを受信信号Ｒとして、電力変動検出回路３２と周波数変動検出回路３３に供給する。
【００３６】
電力変動検出回路３２は、受信信号Ｒの電力レベルの時間変動を検出し、その検出結果を示す電力変動検出情報をメモリ３４に記憶させる。
【００３７】
周波数変動検出回路３３は、受信信号Ｒの中心周波数の時間変動を検出し、その検出結果を示す周波数変動検出情報をメモリ３４に記憶させる。
【００３８】
メモリ３４は、電力変動検出回路３２から供給された電力変動検出情報と、周波数変動検出回路３３から供給された周波数変動検出情報を記憶する。また、メモリ３４には、所定のダミーパケットの信号電力の変動パターン及び中心周波数の変動パターンが予め各ＳＴ１３ａ〜１３ｆと対応付けして記憶されている。変動パターンとしては、例えば「０１０」や「００１」等のパターンがＳＴ１３毎に固有に与えられている。
【００３９】
信号判定回路３５は、メモリ３４に記憶された電力変動検出情報が、ダミーパケットの信号電力の変動パターンと一致するかどうかを判定する。また、信号判定回路３５は、メモリ３４に記憶された周波数変動検出情報が、ダミーパケットの中心周波数の変動パターンと一致するかどうかを判定する。なお、後述するように、信号判定回路３５は、信号電力又は中心周波数の変動の変動パターンとの相違が誤差の範囲内であれば、一致と判定する。
【００４０】
スイッチ制御信号出力部３６は、信号判定回路３５における判定結果に基づいて、ＳＷ２３をＯＮにするＯＮ制御信号又はＯＦＦにするＯＦＦ制御信号を出力する。具体的には、電力変動パターン及び中心周波数の変動パターンがともにダミーパケットのものと一致した場合には、ＯＮ制御信号をＳＷ２３に供給する。また、ＯＮ制御信号をＳＷ２３に供給して所定時間経過後、スイッチ制御信号出力部３６は、ＯＦＦ制御信号をＳＷ２３に供給する。一方、電力変動パターンと中心周波数の変動パターンのいずれか又は両方がダミーパケットのものと一致しなかった場合、スイッチ制御信号出力部３６は、ＯＦＦ制御信号をＳＷ２３に供給する。
【００４１】
図６は、ＳＴ１３の構成を示すブロック図である。ＳＴ１３は、アンテナ４１、送受信回路４２、ダミーパケット生成回路４３及び信号分岐合成回路４４を備える。
【００４２】
アンテナ４１は、ＡＰ１２との間で無線信号の送受信を行う。送受信回路４２は、ＡＰ１２に送信する送信パケット、例えば紙幣カセット１４の状態に関する情報等を含む送信パケットをダミーパケット生成回路４３及び信号分岐合成回路４４に供給する。
【００４３】
ダミーパケット生成回路４３は、送信パケットを受けると、信号の電力レベル及び信号スペクトルの中心周波数が所定の変動パターンに従って時間変動するダミーパケットを生成する。ダミーパケット生成回路４３は、生成したダミーパケットを信号分岐合成回路４４に供給する。
【００４４】
変動パターンとしては、「０１０」や「００１」等のパターンが、各ＳＴ１３に固有に与えられている。例えば、パターン「０」は、電力レベルがＸ［ｄＢ］低下し、中心周波数がＹ［ＭＨｚ］低下することを示す。パターン「１」は、電力レベルがＸ［ｄＢ］上昇し、中心周波数がＹ［ＭＨｚ］上昇することを示す。
【００４５】
図７（ａ）は、変動パターンが「０１０」の場合における、ダミーパケットの信号電力レベルの時間変動の例を示す図である。ダミーパケットの信号の電力レベルは時間間隔Ｔｄの間に、初期値からＸ［ｄＢ］低下し、Ｘ［ｄＢ］上昇した後、再びＸ［ｄＢ］低下する。すなわち、信号の電力レベルの初期値をＰ［ｄＢ］とすると、ダミーパケットの信号電力の電力レベルは、Ｐ［ｄＢ］→Ｐ−Ｘ［ｄＢ］→Ｐ［ｄＢ］→Ｐ−Ｘ［ｄＢ］と時間変動する。
【００４６】
図７（ｂ）は、変動パターンが「０１０」の場合における、ダミーパケットの信号スペクトルの中心周波数の時間変動の例を示す図である。ダミーパケットの中心周波数は時間間隔Ｔｄの間に、初期値からＹ［ＭＨｚ］低下し、Ｙ［ＭＨｚ］上昇した後、再びＹ［ＭＨｚ］低下する。すなわち、中心周波数の初期値をＱ［ＭＨｚ］とすると、ダミーパケットの信号電力の電力レベルは、Ｑ［ＭＨｚ］→Ｑ−Ｙ［ＭＨｚ］→Ｑ［ＭＨｚ］→Ｑ−Ｙ［ＭＨｚ］と時間変動する。
【００４７】
信号分岐合成回路４４は、送信パケットの供給に応じて、図７（ｃ）に示すように、この送信パケットの先頭に上記したダミーパケットを付加してなるパケット系列をアンテナ４１に供給する。また、信号分岐合成回路４４は、無線信号の受信時には、アンテナ４１から受信した受信信号を送受信回路４２に供給する。
【００４８】
次に、無線信号の受信時にＡＰ１２が行う判定動作について、ＳＴ１３が生成・送信するダミーパケットの信号電力レベル及び中心周波数の変動パターンが「０１０」である場合を例として説明する。
【００４９】
ＡＰ１２のアンテナ２１は、受信信号を分配器２２に供給する。分配器２２は、受信信号をＳＷ２３及びスイッチ制御判定回路２５に分配供給する。スイッチ制御判定回路２５の信号入力部３１は、受信信号を電力変動検出回路３２及び周波数変動検出回路３３に供給する。
【００５０】
電力変動検出回路３２は、時間間隔Ｔｄにおける受信信号の信号電力レベルの時間変動を検出し、検出結果である電力変動検出情報をメモリ３４に格納する。
【００５１】
周波数変動検出回路３３は、時間間隔Ｔｄにおける受信信号の中心周波数の時間変動を検出し、検出結果である周波数変動検出情報をメモリ３４に格納する。
【００５２】
信号判定回路３５は、電力変動検出情報をメモリ３４から読み出し、当該電力変動パターンがダミーパケットの電力変動パターンと一致するかどうかを判定する。なお、無線信号電力レベルは、無線信号が送受信される間に、外部からの影響により多少の変動（誤差）を生じる。そこで、信号判定回路３５は、誤差をｄ［ｄＢ］として、信号電力レベルがＸ±ｄ［ｄＢ］の範囲で低下した場合に、変動パターン「０」と一致していると判定する。また、信号電力レベルがＸ±ｄ［ｄＢ］の範囲で上昇した場合に、変動パターン「１」と一致していると判定する。これらの変動範囲以外の値で信号電力レベルの変動が生じていた場合、信号判定回路３５は、変動パターンが「不定」であると判定する。
【００５３】
例えば、誤差ｄ［ｄＢ］＝３［ｄＢ］とすると、図８（ａ）に示すように、時間間隔Ｔｄの間に、信号電力レベルが（Ｘ＋１）［ｄＢ］低下し、（Ｘ＋２）［ｄＢ］上昇した後、（Ｘ−１）［ｄＢ］低下した場合、変動パターン「０１０」と一致すると判定する。
【００５４】
また、信号判定回路３５は、周波数変動検出情報をメモリ３４から読み出し、中心周波数の変動パターンがダミーパケットの中心周波数の変動パターンと一致するかどうかを判定する。なお、中心周波数は、無線信号が送受信される間に、外部からの影響により多少の変動（誤差）を生じる。そこで、信号判定回路３５は、誤差をｆ［ＭＨｚ］として、中心周波数がＹ±ｆ［ＭＨｚ］の範囲で低下した場合、変動パターン「０」と一致していると判定する。また、中心周波数がＹ±ｆ［ＭＨｚ］の範囲で上昇した場合、変動パターン「１」と一致していると判定する。これらの変動範囲以外の値で中心周波数の変動が生じていた場合、信号判定回路３５は、変動パターンが「不定」であると判定する。
【００５５】
例えば、誤差ｆ［ＭＨｚ］＝３［ＭＨｚ］であるとすると、図８（ｂ）に示すように、時間間隔Ｔｄの間に、中心周波数が（Ｙ＋１）［ＭＨｚ］低下し、（Ｙ＋２）［ＭＨｚ］上昇した後、（Ｙ−１）［ＭＨｚ］低下した場合、変動パターン「０１０」と一致すると判定する。
【００５６】
信号判定回路３５は、信号電力の変動パターン及び中心周波数の変動パターンがともにダミーパケットの変動パターンと一致した場合に、受信信号が所望信号であると判定する。信号電力の電力変動パターン又は中心周波数の変動パターンがダミーパケットの変動パターンと一致しなかった場合、信号判定回路３５は、受信信号は所望信号ではないと判定する。
【００５７】
スイッチ制御信号出力部３６は、受信信号が所望信号であると信号判定回路３５が判定した場合、ＯＮ制御信号をＳＷ２３に供給する。ＳＷ２３は、ＯＮ制御信号に応じて、所定時間、分配器２２と復調部２４との間を接続する。
【００５８】
また、スイッチ制御信号出力部３６は、受信信号が所望信号ではないと判定した場合、ＯＦＦ制御信号をＳＷ２３に供給する。ＳＷ２３は、ＯＦＦ制御信号に応じて、分配器２２と復調部２４との間を非接続とする。
【００５９】
以上の動作により、ＡＰ１２のスイッチ制御判定回路２５は、無線信号が所望信号であるか否かを判定し、所望信号であると判定した場合にのみＳＷ２３をＯＮ状態に設定する。例えば、図９に示すように、時刻Ｔ１で最小受信感度Ｍｒよりも信号の電力レベルの大きい干渉信号Ｉｓ（破線で示す）が到来し、続いて時刻Ｔ２で所望信号Ｄｓ（実践で示す）が到来したような場合、時刻０〜Ｔ２の間はＳＷ２３をＯＦＦに制御し、時刻Ｔ２以降はＳＷをＯＮに制御する。
【００６０】
本実施例に係るＡＰ１２によれば、所望信号が未到来の時点では復調部２４への受信信号の供給がなされないため、干渉信号の受信状態から、所望信号の受信状態に変化しても所望信号の先頭部から正常な復調処理を行うことが可能となる。
【００６１】
また、ダミーパケットについてＳＴ１３毎に固有の変動パターンが与えられているため、ＡＰ１２のスイッチ制御判定回路２５は、受信信号がＳＴ１３ａ〜１３ｆのいずれから送信された受信信号であるかを識別することができる。したがって、例えば所望のＳＴ１３以外からの受信信号である場合には、ＳＷ２３をＯＦＦに制御し、所望のＳＴ１３からの受信信号のみを復調部２４に供給するような構成とすることも可能である。
【００６２】
なお、上記実施例では、スイッチ制御判定回路２５が電力変動検出回路３２及び周波数変動検出回路３３を有する構成について説明した。しかし、例えば電力変動検出回路３２のみを有する構成や、周波数変動検出回路３３のみを有する構成であってもよい。
【００６３】
また、上記実施例では、信号電力の変動パターン及び中心周波数の変動パターンがともにダミーパケットの変動パターンと一致した場合にのみＳＷ２３をＯＮにするものとして説明した。しかし、信号電力の変動パターン又は中心周波数の変動パターンのいずれか一方がダミーパケットの変動パターンと一致した場合にＳＷ２３をＯＮする構成であってもよい。
【００６４】
また、上記実施例では、信号電力と中心周波数とが同じ変動パターンで変動する例について説明した。しかし、信号電力と中心周波数が別のパターンで変動するダミーパケットを生成するものであってもよい。その場合、ＳＴ１３ａ〜１３ｆには、信号電力の変動パターンと中心周波数の変動パターンの２種類が夫々割り当てられる。
【００６５】
また、信号電力の変動パターンや中心周波数の変動パターンではなく、帯域幅の変動パターンを検出して所望信号か干渉信号かを判定する構成であってもよい。例えば、ＡＰ１２のスイッチ制御判定回路２５が帯域幅変動検出回路を備え、所定のパターンで帯域幅が時間変動するダミーパケットをＳＴ１３が生成して送信し、ＡＰ１２においてこれを検出することによって、所望信号か干渉信号かを判定する構成であってもよい。
【実施例２】
【００６６】
本発明の実施例２における自動取引装置１０は、ＡＰ１２のスイッチ制御判定回路２５の構成において実施例１と異なり、その他の構成においては実施例１と共通している。以下、ＡＰ１２のスイッチ制御判定回路２５の構成及びスイッチ制御判定回路２５が行う判定動作について説明する。
【００６７】
図１０に示すように、実施例２におけるスイッチ制御判定回路２５は、信号入力部５１、検波回路５２、メモリ５３、コンパレータ５４及びスイッチ制御信号出力部５５を備える。
【００６８】
信号入力部５１は、分配器２２から供給された受信信号を受け、これを受信信号Ｒとして検波回路５２に供給する。
【００６９】
検波回路５２は、無線信号の電力レベルに応じた信号をコンパレータ５４に供給する。
【００７０】
メモリ５３には、コンパレータ閾値Ｔｈが記憶されている。コンパレータ閾値は、干渉信号の電力レベルよりも大きく、所望信号の電力レベルよりも小さい値に設定されている。
【００７１】
コンパレータ５４は、検波回路５２から供給された信号の電力値と、メモリ５３から読み出したコンパレータ閾値Ｔｈとを比較し、比較結果をスイッチ制御信号出力部５５に供給する。
【００７２】
スイッチ制御信号出力部５５は、コンパレータ５４における比較の結果、検波回路５２から供給された信号の電力値がコンパレータ閾値Ｔｈ以上であった場合、ＯＮ制御信号をＳＷ２３に供給する。他方、コンパレータ５４における比較の結果、検波回路５２から供給された信号の電力値がコンパレータ閾値Ｔｈ未満であった場合、スイッチ制御信号出力部５５は、ＯＦＦ制御信号をＳＷ２３に供給する。
【００７３】
以上の動作により、ＡＰ１２のスイッチ制御判定回路２５は、受信信号が所望信号であるか否かを判定し、所望信号であると判定した場合にのみＳＷ２３をＯＮ状態に設定する。例えば、図１１（ａ）に示すように、時刻Ｔ１から最小受信感度Ｍｒよりも信号の電力レベルの大きい干渉信号Ｉｓ（破線にて示す）が到来し、続いて時刻Ｔ２から所望信号Ｄｓ（実線にて示す）が到来したような場合、時刻０〜Ｔ２までの間はＳＷ２３をＯＦＦに制御し、時刻Ｔ２以降はＳＷをＯＮに制御する。これにより、復調部２４には、図１１（ｂ）に示すように、時刻Ｔ２以降の干渉信号Ｉｓと所望信号Ｄｓが供給される。
【００７４】
なお、ＡＴ１２からＳＴ１３への信号送信時には、復調部２４がＳＷ２３のアイソレーションを超える電力レベルの送信信号をＳＷ２３に供給することにより、ＳＷ２３をＯＮ状態にすることが可能である。
【００７５】
例えば、ＳＷ２３がＯＦＦの状態で、ＳＷ２３のアイソレーションを超える送信信号を復調部２４がＳＷ２３に供給すると、送信信号の一部がＳＷ２３から分配器２２に漏れる。漏れた送信信号の一部は、分配器２２からスイッチ制御判定回路２５を通ってＳＷ２３に供給される。ＳＷ２３に供給された信号の電力レベルがコンパレータ閾値Ｔｈ以上である場合、スイッチ制御信号出力部５５は、ＯＮ制御信号をＳＷ２３に供給する。ＳＷ２３は、ＯＮ制御信号に応じて、所定時間、ＯＮ状態に設定される。
【００７６】
本実施例に係るＡＰ１２によれば、実施例１と同様、所望信号が未到来の時点では復調部２４への受信信号の供給がなされないため、干渉信号の受信状態から、所望信号の受信状態に変化しても所望信号の先頭部から正常な復調処理を行うことが可能となる。
【００７７】
本実施例では、受信信号の電力レベルがコンパレータ閾値Ｔｈとの大小関係に応じて所望信号か干渉信号かを判定するため、実施例１のようなダミーパケット生成部等が不要であり、簡易な構成で判定を行うことができる。
【００７８】
以上説明したように、本発明によれば、信号強度又は周波数に応じて受信信号が所望信号か干渉信号かの判定を行い、所望信号であると判定した場合にのみ復調部への信号供給を行う。これにより、所望信号の先頭部に対する復調処理を正常に行うことが可能となる。
【００７９】
なお、上記実施例１及び実施例２においては、図４に記載の通り、ＡＰ１２がアンテナ２１、分配器２２、ＳＷ２３、復調部２４及びスイッチ制御判定回路２５からなる構成を有するものとして説明した。しかし、図１２に示すように、ＡＰ１２は、さらにＯＲ回路２６を備えていてもよい。これにより、ＡＰ１２は信号の受信時のみならず送信時にもＳＷ２３の制御を行うことが可能となる。
【００８０】
すなわち、受信時には、スイッチ制御判定回路２５は、受信信号が所望信号であると判定すると、ＳＷ２３をＯＮに制御するＯＮ制御信号をＯＲ回路２６に供給する。他方、送信時には、復調部２４は、ＳＷ２３をＯＮに制御するＯＮ制御信号をＯＲ回路２６に供給する。ＯＲ２６は、スイッチ制御判定回路２５又は復調部２４からＯＮ制御信号の供給を受けると、これをスイッチＳＷ２３に供給する。スイッチＳＷ２３は、ＯＮ制御信号に応じて、所定時間、分配器２２と復調部２４との間を接続する。
【００８１】
この構成によれば、ＡＰ１２が、受信動作のみならず送信動作を行うことが可能となる。また、この構成によれば、実施例２において、送信信号が漏れでコンパレータ閾値Ｔｈを超えるような電力レベルにない場合であっても、ＡＰ１２は送信動作を行うことができる。なお、ＡＰ１２として、受信と送信を同時に行わないＴＤＤ（Time Division Duplex）等の無線通信装置を用いる場合には、ＯＲ回路２６をＸＯＲ回路とすることも可能である。
【００８２】
また、図１３に示すように、ＡＰ１２は、減衰器２７をさらに備えていてもよい。減衰機２７は、分配器２２からＳＷ２３を介して供給された信号の電力レベルを減衰させ、減衰した信号を復調部２４に供給する。この構成によれば、所望信号Ｄｓ及び干渉信号Ｉｓの電力レベルが減衰するため、干渉信号Ｉｓの電力レベルを最小受信感度Ｍｒよりも小さくすることが可能となる。
【００８３】
例えば、ＡＰ１２が減衰器２７を有しない図４又は図１２のような構成である場合、復調部２４に供給される信号は、図１４（ａ）に示すように、時刻Ｔ２からＴ３までの間、所望信号Ｄｓ（実線にて示す）と干渉信号Ｉｓ（破線にて示す）とが混在した状態となる。これに対し、ＡＰ１２が図１３に示すような減衰器２７を有する構成である場合、干渉信号Ｉｓの電力レベルを最小受信感度Ｍｒよりも小さいレベルにまで減衰させることにより、所望信号Ｄｓのみを復調部２４に供給することが可能となる。
【００８４】
また、実施例１における電力変動検出回路３２及び周波数変動検出回路３３と、実施例２における検波回路５２及びコンパレータ５４を組み合わせて、スイッチ制御判定回路２５を構成してもよい。例えば、これらを直列に接続することにより、まず信号の電力レベルがコンパレータ閾値Ｔｈ以上であるか否かを判定した後、信号電力の変動と中心周波数の変動が所定の変動パターンと一致するか否かを判定することにより、所望信号か干渉信号かを判定する構成であってもよい。
【００８５】
なお、上記実施例では、ＡＰ１２が、接続切替部としてのＳＷ２３を備え、アンテナ２１と復調部２４との間の接続を遮断する構成について説明した。しかし、接続切替部はＳＷ２３のようなスイッチに限られない。例えば、ＳＷ２３の代わりに接続切替部としての減衰器を設け、減衰量を大きくすることによって接続を遮断する構成であってもよい。また、接続切替部としてのフィルタを設け、フィルタ特性を変化させることによって接続を遮断する構成であってもよい。
【００８６】
また、上記実施例では、スイッチ制御信号出力部（３６，５５）が、電力変動パターン及び中心周波数の変動パターンがダミーパケットのパターンと一致した場合（実施例１）や、信号の電力値がコンパレータ閾値以上であった場合（実施例２）にＯＮ制御信号をＳＷ２３に供給する一方、パターンが不一致の場合や信号の電力値がコンパレータ閾値未満であった場合にはＯＦＦ制御信号をＳＷ２３に供給する構成について説明した。しかし、ＳＷ２３を、ＯＮ制御信号が供給されていない限りはＯＦＦ状態となるように制御することにより、パターンが不一致の場合や信号の電力値がコンパレータ閾値未満の場合には、スイッチ制御信号出力部が特に何らの信号を出力しない構成としてもよい。つまり、スイッチ制御信号出力部は、電力変動パターン、中心周波数の変動パターン、電力レベル等が所定の条件に一致しない場合、所定の条件に一致する無線信号を受信するまで待機し、所定の条件に一致する無線信号を受信した場合にＯＮ制御信号を出力する構成であってもよい。
【００８７】
また、上記実施例では、自動取引装置１０のＡＰ１２がスイッチ制御判定回路２５を内部に備える構成について説明した。しかし、これに限られず、スイッチ制御判定回路２５をＡＰ１２の外側に設ける構成であってもよい。
【００８８】
また、本発明は自動取引装置に限られず、複数の無線通信装置間で信号の送受信を行う無線通信システムに適用することが可能である。例えば、自動車の車内に搭載された複数の通信装置間での通信に本発明の無線通信システムを適用することにより、煩雑な配線を不要としつつ干渉信号の影響を効果的に取り除くことが可能となる。
【符号の説明】
【００８９】
１０                    自動取引装置
１０ａ                  筐体上部
１０ｂ                  筐体下部
１１                    ＣＣＵ
１２（１２ａ〜１２ｃ）  ＡＰ
１３（１３ａ〜１３ｆ）  ＳＴ
１４（１４ａ〜１４ｆ）  紙幣カセット
１５                    金庫
１６                    搬送部
１７                    入出金部
２１、４１              アンテナ
２２                    分配器
２３                    ＳＷ
２４                    復調部
２５                    スイッチ制御判定回路
２６                    ＯＲ回路
２７                    減衰器
３１、５１              信号入力部
３２                    電力変動検出回路
３３                    周波数変動検出回路
３４、５３              メモリ
３５                    信号判定回路
３６、５５              スイッチ制御信号出力部
４２                    送受信回路
４３                    ダミーパケット生成回路
４４                    信号分岐合成回路
５２                    検波回路
５４                    コンパレータ
【図１】
2016105562.tif 000003
【図２】
2016105562.tif 000004
【図３】
2016105562.tif 000005
【図４】
2016105562.tif 000006
【図５】
2016105562.tif 000007
【図６】
2016105562.tif 000008
【図７】
2016105562.tif 000009
【図８】
2016105562.tif 000010
【図９】
2016105562.tif 000011
【図１０】
2016105562.tif 000012
【図１１】
2016105562.tif 000013
【図１２】
2016105562.tif 000014
【図１３】
2016105562.tif 000015
【図１４】
2016105562.tif 000016